(57)【特許請求の範囲】
【請求項１】
眼鏡の縁の２つの部分即ちつる（４）とつる保持用耳片（１）との枢着用
ピン継手であって，両方の部分のうち一方の部分に設けられかつ他方の部分へ向かって突
出してこの他方の部分の受入れポケット（５）へはまる継手舌片（２）と，受入れポケッ
ト（５）から始まる円筒状軸受凹所（６）とを有し，継手舌片（２）が継手軸線を形成す
る軸頚（３）を持ち，軸受凹所（６）が軸頚（３）をスナップ状に受入れる導入口（７）
を持っているものにおいて，軸受凹所（６）が導入口（７）及びスナップを形成するため
つる（４）の内側に近い方の周囲区域で開いており，つる保持用耳片（１）がピン継手の
伸張状態におけるつる（４）用の端面ストッパ（９）を持ち，このストッパ（９）がつる
の軸線に交差して延びるストッパ面（１０）を持ち，つる（４）が外側につる保持用耳片
（１）へ向かって突出してつる保持用耳片（１）の円弧状輪郭の側方凹所（１２）へはま
る円弧状輪郭のストッパ舌片（１１）を持ち，この側方凹所（１２）が，ストッパ舌片（
１１）を包囲する周壁により，つる（４）用ストッパ（９）のストッパ面（１０）を形成
していることを特徴とする，ピン継手。
【発明の詳細な説明】
【０００１】
【産業上の利用分野】
本発明は，眼鏡の縁の２つの部分即ちつるとつる保持用耳片との枢着用ピン継手であっ
て，両方の部分のうち一方の部分に設けられかつ他方の部分へ向かって突出してこの他方
の部分の受入れポケットへはまる継手舌片と，受入れポケットから始まる円筒状軸受凹所
とを有し，継手舌片が継手軸線を形成する軸頚を持ち，軸受凹所が軸頚をスナップ状に受
入れる導入口を持っているものに関する。
【０００２】
【従来の技術】
眼鏡の縁のつるとつる保持用耳片との間に設けられるピン継手を介してこれらの部分を簡車に結合できるようにするため，つるへ向かつて突出する継手舌片をつる保持用耳片に設けることが公知であり（欧州特許出願第４９５７６７号明細書），この継手舌片は上下へ突出して継手軸線を形成する軸頚を持ち，つるには継手舌片用受入れポケツトが切欠かれている。継手舌片の軸頚は，受入れポケツトから姶まる盲穴として形成される軸受凹所へはまつている。軸頚をこれらの盲穴へ導入するため，受入れポケツトはつるの内側から姶まつて盲穴まで延びる導入溝を持つているので，このに設けられる入口傾斜のため，軸頚は盲穴へ達する際この盲穴へスナツプ状にはまる。このような構造では，つる側継手舌片の軸頚が，ストツパにより規定されるピン継手の伸張状態を越えるつるの揺動の際，軸受凹所から抑出されるので，つるが眼鏡の縁の他の剖分から外れてしまう。なぜならば盲穴への軸頚の係合長は，盲穴への軸頚のスナツプ状係合のために必要な軸頚又は盲穴の穴壁の軸線方向取縮のため，必然的に限定され，比較的大きい荷車に対しては不充分だからである。軸頚を盲穴へ係合させるため，つるを再びつる側継手舌片上へはめることができるけれども，継手部分が繰返し外れると，継手結合部の機能消失は避けられず，それにより事情によつては眼鏡の規則正しい使用が危くなる。
【０００３】
軸頚が軸受凹所によく保持されるようにするため，軸頚を受入れるため半径方向へ開く軸受凹所を設けることが既に提案された（仏国持許第１１２６０４９号明細書）。しかし軸頚はスナツプ状に軸受凹所へはまるのではなく，両側の面取り部のため，一種の差込み継手を形成し，軸頚を軸受凹所へ挿入するために，スナツプ状拘束のための前提条件である普通のプラスチツクの使用を不能にするような規模におけるつるの弾性曲げが必要となる。
【０００４】
最後につる保持用耳片の受入れポケツトへはまる継手舌片をつるの内側にある弾性舌片に設けることも公知で（仏国特許出願公開第２６２６６８２号明細書），それによりつる保持用耳片がこの弾性舌片とつるとの間に弾性的に締付けられる。しかし弾性舌片を設けると費用かかかり，ばね舌片が破壊する危険もある。
【０００５】
【発明が解決しようとする課題】
従つて本発明の基礎になつている課題は，ピン継手の継手部分の望ましくない外れを防止できるように，最初にあけた種類のピン継手を簡単な構造的手段で構成することである。
【０００６】
【課題を解決するための手段】
この課題を解決するため本発明によれば，軸受凹所が導入口及びスナップを形成するた
めつるの内側に近い方の周囲区域で開いており，つる保持用耳片がピン継手の伸張状態に
おけるつる用の端面ストッパを持ち，このストッパがつるの軸線に交差して延びるストッ
パ面を持ち，つるが外側につる保持用耳片へ向かって突出してつる保持用耳片の円弧状輪
郭の側方凹所へはまる円弧状輪郭のストッパ舌片を持ち，この側方凹所が，ストッパ舌片
を包囲する周壁により，つる用ストッパのストッパ面を形成している。
【０００７】
【発明の効果】
軸受凹所がつるの内側に近い方の周囲区域の範囲に軸頚用導入口を持つているので，１８０゜より少し大きい角にわたつて延びる軸受殻を形成する軸受凹所へ軸頚を半径方向に押込むことができる。軸頚の軸線方向はめ込みとは異なり，開いた軸受殻への半径方向はめ込みは次の利点を生ずる。即ちはめ込み条件に関係なく軸頚長を選ぶことができるので，軸頚はその大きい長さのため軸受凹所の壁に充分支持され，ピン継手の伸張状態を越えてつるを曲げる際，軸頚が軸受凹所の導入口から出ないように配慮すれば，つるがつる保持用耳片から予期せずに外れるのを回避することができる。このため伸張状態にあるつるに対して，つるの軸線に交差して延びるストツパ面を持つストツパが設けられ，ピン継手の伸張状態を越える方向につるへ曲げ荷重がかかると，つるがストツパ面に支持される。従つてつるを更に曲げると，ストツパがつるの回転支持部を形成する。つるのストツパにおける回転支持に関する軸頚の揺動半径は，軸受凹所から軸頚が出る方向に対して９０゜より大きい角をなしているので，軸受凹所から軸頚が出るためには，つる保持用耳片に対してつるがつるの軸線方向へ変位できねばならない。しかし軸線方向へのつるのこのような変位は，つる軸線に交差して延びるストツパ面を持つストツパにより防止される。このため，ビン継手の伸張状態を越えるつるの曲げの際，軸受凹所からの軸頚の外れは，軸頚の破断又は軸受凹所の破損によるピン継手の破壊によつてのみおこる。
【０００８】
更に本発明により，つるが外側につる保持用耳片へ向かって突出してつる保持用耳片の円弧状輪郭の側方凹所へはまる円弧状輪郭のストッパ舌片を持ち，この側方凹所が，ストッパ舌片を包囲する周壁により，つる用ストッパのストッパ面を形成しているので，特に有利な条件が得られる。即ちつるのストッパ舌片は，ピン継手従ってつる保持用耳片とつるとの継目を外部に対して覆い，これは特につる保持用耳片に対するつるの傾斜調節を行う場合に特に重要である。なぜならば，ストッパ舌片の円弧状輪郭形状に対応してつる保持用耳片の側方凹所の輪郭が円弧状に形成されているので，つるとつる保持用耳片との間に形成される楔状間隙がストッパ舌片により覆われて、外側から見えないからである。軸頚に直交する軸線の周りに継手舌片を適当に曲げることにより，傾斜調節を簡単に行うことができる。
【０００９】
【実施例】
図面には本発明の実施例が示されている。ピン継手は，図示した実施例では，大体において，例えばつる保持用耳片１に設けられて継手軸線を形成する軸頚３を持つ継手舌片２と，つる４に設けられる継手舌片２用受入れポケツト５とから成り，この受入れポケツト５から軸頚３用の２つの軸受凹所６が姶まつている。これらの軸受凹所６は，半径方向導入口７を形成するため，つるの内側に近い方の周囲区域に開くように設けられているので，継手部分のはめ合わせの際軸頚３が半径方向に軸受凹所６へはまり，従つて軸受凹所６は，１８０゜より大きい角にわたつて延びる軸受殻を形成して，軸受凹所６への軸頚３のスナップはめ込みを保証している。このため軸頚３の直径は導入口７の内径寸法より僅か大きく，継手部分の簡単な組立てのためこの導入口７の前に導入スリット８があるが，必ずしもそうする必要はない。
【００１０】
継手部分の組立てのため，つる４が導入スリツト８の方向に軸頚３を持つ継手舌片２上へ押しはめられ，その際軸頚３が軸受殻状軸受凹所６へはまり，そこにスナツプ状に保持される。軸頚３の軸線方向位置ぎめは，特に図６からわかるように，受入れポケツト７へはまる継手舌片２を介して行われる。
【００１１】
図５に示すピン継手の伸張状態を越えてつるを矢印１３の方向に曲げる際，軸頚３が軸受凹所６から出るのを防止するため，つる保持用耳片１はつる軸線に交差するストツパ面１０を有するストツパ９を持ち，このストツパ面１０がつる４の外側にあるストツパ舌片１１と共同作用する。このストツパ舌片１１は円弧の輪郭形状を持ち，つる保持用耳片１の対応する側方凹所１２へはまり，ストツパ面１０はこの凹所１２の周壁により形成されている。
【００１２】
つる４が矢印１３のようにピン継手の伸張状態を越える方向に曲げ荷重を受ける場合，軸頚３が軸受凹所６から出るようなことがあると，ストツパ９がつる４の回転  支持部を形成することになる。しかし軸頚３の揺動半径１４は，つる４の軸線に交差して導入口７を通る軸頚３の外れ方向１５に対して，９０゜より大きい角をなしているので，同時につる４がつるの軸線力向につる保持用耳片１の方へ変位できる時にのみ，軸頚３は軸受凹所６から出ることができる。しかしこの変位はつる４の軸線に交差して延びるストツパ面１０によつて防止されるので，特に軸頚３の比較的大きい長さのため軸受凹所６に壁への充分な支持が行われることにより，軸頚３が軸受凹所６から外れ，従つてピン継手が分解することは不可能である。導入スリツト８を持つ導入口７はつる４の軸線に交差して延び，それによりこのようなつるを製造するための型に対して特に簡単な条件が保証される。
【００１３】
つる保持用耳片１に対するつる４の傾斜は，継手舌片２の断面縮小によつて得られる曲げ継手１６を介して調節することができる。軸頚３の軸線に対して直角なこの曲げ継手１６の軸線は，ストツパ舌片１１又はつる保持用耳片１の凹所１２の周囲円の中心を形成しているので，傾斜調節の際ストツパ舌片１１と凹所１２との間に間隙が生ずることはない。
【００１４】
本発明が図示した実施例に限定されないことは明らかである。例えばプラスチツクから成るつる保持用耳片１へ埋込まれる継手舌片の代りに，プラスチツクから成る継手舌片をつる保持用耳片１に一体に形成することかできる。継手舌片をつる４に付属させ，従つて受入れポケツト５及び軸受凹所６をつる保持用耳片１の外側に設けることも可能である。
【図面の簡単な説明】
【図１】本発明によるピン継手のつる保持用耳片側部分の斜視図である。
【図２】つるの継手側端部の継手軸線に対して直角な断面図である。
【図３】図２のＩＩＩ−ＩＩＩ線による断面図である。
【図４】図３のＩＶ−ＩＶ線による断面図である。
【図５】組立てられたピン継手の軸線に対して直角な断面図である。
【図６】組立てられたピン継手をつるの内側から見た一部切欠き正面図である。
【符号の説明】
１    つる保持用耳片
２    継手舌片
３    軸頚
４    つる
５    受入れポケツト
６    軸受凹所
７    導入口
９    ストツパ
１０  ストツパ面
【図１】
0003561806.tif 000002
【図２】
0003561806.tif 000003
【図３】
0003561806.tif 000004
【図４】
0003561806.tif 000005
【図５】
0003561806.tif 000006
【図６】
0003561806.tif 000007